(57)【要約】【課題】除霜時にガラス管ヒータの輻射熱による樹脂部の温度が耐熱温度を超えることを抑制する冷蔵庫を提供することを目的とする。【解決手段】庫内背部に設置した冷却器２１と、冷却器２１の下部にガラス管ヒータ２３と、ガラス管ヒータ２３と冷却器２１との間に冷却器２１から落下する除霜水がガラス管ヒータ２３に直接滴下するのを防止するヒータカバー３０を設けた冷蔵庫において、ガラス管ヒータ２３とガラス管ヒータ２３前方の冷凍室背面板２９との間にヒータカバー３０から延出する遮蔽部材を設けたことによって、除霜時にガラス管ヒータ２３からの輻射熱が冷凍室背面板２９に直接当たるのを防止することができ、冷凍室背面板２９の温度上昇を抑制することができる。【選択図】図５
2018071959.tif 000002
【特許請求の範囲】
【請求項１】
庫内背部に設置した冷却器と、前記冷却器の下部に設置したガラス管ヒータと、前記ガラス管ヒータと前記冷却器との間に前記冷却器から落下する除霜水が前記ガラス管ヒータに直接滴下するのを防止するヒータカバーと、を備えた冷蔵庫において、前記ガラス管ヒータと前記ガラス管ヒータ前方の樹脂部品との間に前記ヒータカバーから延出する遮蔽部材を設けた冷蔵庫。
【請求項２】
前記遮蔽部材に複数のスリット孔部を形成した請求項１に記載の冷蔵庫。
【請求項３】
前記遮蔽部材の先端部は前記ガラス管ヒータ下端よりも上方で、ガラス管ヒータ上端よりも下方に位置する請求項１または２に記載の冷蔵庫。
【発明の詳細な説明】
【技術分野】
【０００１】
本発明は、冷却器下部にガラス管ヒータを設置した冷蔵庫に関する。
【背景技術】
【０００２】
従来より、冷却器下部にガラス管ヒータを設置し、冷却器とガラス管ヒータとの間にヒータカバーを設置した冷蔵庫がある。（例えば、特許文献１参照）
【先行技術文献】
【特許文献】
【０００３】
【特許文献１】特開昭６０−３３４７８号公報
【発明の概要】
【発明が解決しようとする課題】
【０００４】
しかしながら、上記従来の冷蔵庫では、除霜時に、ガラス管ヒータの輻射熱が前方の冷凍室背面板に直接あたり、樹脂の温度が上昇し、耐熱温度を超え、変形するおそれがあった。
【０００５】
本発明は上記従来の課題を解決するものであり、除霜時にガラス管ヒータの輻射熱による樹脂部の温度が耐熱温度を超えることを抑制する冷蔵庫を提供することを目的とする。
【課題を解決するための手段】
【０００６】
上記従来の課題を解決するために、本発明の冷蔵庫は、庫内背部に設置した冷却器と、前記冷却器の下部に設置したガラス管ヒータと、前記ガラス管ヒータと前記冷却器との間に前記冷却器から落下する除霜水が前記ガラス管ヒータに直接滴下するのを防止するヒータカバーと、を備えた冷蔵庫において、前記ガラス管ヒータと前記ガラス管ヒータ前方の樹脂部品との間に前記ヒータカバーから延出する遮蔽部材を設けたものである。
【０００７】
これによって、除霜時に、ガラス管ヒータの輻射熱が冷凍室背面板に直接当たるのを抑制することができ、冷凍室背面板の温度上昇を抑制することができる。
【発明の効果】
【０００８】
本発明の冷蔵庫は、ガラス管ヒータの輻射熱が冷凍室背面板に直接あたり、冷凍室背面板の温度上昇を抑制することができるので、除霜時の信頼性を高めた冷蔵庫を提供することができる。
【図面の簡単な説明】
【０００９】
【図１】本発明の実施の形態１における冷蔵庫の正面図
【図２】同実施の形態における冷蔵庫の内部を示す正面図
【図３】同実施の形態における冷蔵庫の断面図
【図４】同実施の形態における冷蔵庫の冷気流れを説明する説明図
【図５】同実施の形態における冷蔵庫の除霜装置周辺を示す断面図
【発明を実施するための形態】
【００１０】
請求項１に記載の発明は、庫内背部に設置した冷却器と、前記冷却器の下部に設置したガラス管ヒータと、前記ガラス管ヒータと前記冷却器との間に前記冷却器から落下する除霜水が前記ガラス管ヒータに直接滴下するのを防止するヒータカバーと、を備えた冷蔵庫において、前記ガラス管ヒータと前記ガラス管ヒータ前方の樹脂部品との間に前記ヒータ
カバーから延出する遮蔽部材を設けたことにより、除霜時に前記冷凍室背面板の温度上昇を抑制することができ、前記冷凍室背面板の変形を抑制することができる。
【００１１】
請求項２に記載の発明は、請求項１に記載の発明において、前記遮蔽部材に複数のスリット孔部を形成したことにより、前記ガラス管ヒータと前記ヒータカバーとの間の空間に熱気が淀むのを防ぐことができる。
【００１２】
請求項３に記載の発明は、請求項１または２に記載の発明において、前記遮蔽部材の先端部は前記ガラス管ヒータ下端よりも上方で、前記ガラス管ヒータ上端よりも下方に位置するものであり、前記ガラス管ヒータからの輻射熱が前記冷凍室背面板に直接当たるのを防ぐことができる。
【００１３】
以下、本発明の実施の形態について、図面を参照しながら説明する。なお、この実施の形態によってこの発明が限定されるものではない。
【００１４】
（実施の形態１）
図１は本発明の実施の形態１における冷蔵庫の正面図、図２は同実施の形態における冷蔵庫の内部を示す正面図、図３は同実施の形態における冷蔵庫の断面図、図４は同実施の形態における冷蔵庫の冷気流れを説明する説明図、図５は同実施の形態における冷蔵庫の除霜装置周辺を示す断面図である。
【００１５】
まず図１〜図４を用いて冷蔵庫の全体構成を説明する。
【００１６】
図１〜図４において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、仕切板５、６等によって複数の貯蔵室が仕切形成してある。また、前記冷蔵庫本体１の各貯蔵室は冷蔵庫本体１と同様の断熱構成を採用した回動式の扉７或いは引出し式の扉８、９、１０、１１で開閉自在としてある。
【００１７】
冷蔵庫本体１内に形成した貯蔵室は、最上部の冷蔵室１２と、冷蔵室１２の下に設けた温度帯切り替え可能な切替室１３と、切替室１３の横に設けた製氷室１４と、切替室１３および製氷室１４と最下部の野菜室１５との間に設けた冷凍室１６で構成している。そして、前記冷蔵室１２には複数の棚板１７が設けてあり、その下部には冷却温度帯の異なるパーシャル室１８とチルド室１９が上下二段に重ねて設けてある。
【００１８】
上記冷蔵室１２は、冷蔵保存するための貯蔵室で、凍らない程度の低い温度、具体的には、通常１〜５℃に設定され冷却される。また、冷蔵室内に設けたパーシャル室１８は微凍結保存に適した−２〜−３℃に設定され、チルド室１９は冷蔵室１２よりも低くパーシャル室１８よりは高めの１℃前後の温度に設定され冷却される。
【００１９】
野菜室１５は、冷蔵室１２と同等もしくは若干高く温度設定される貯蔵室で、具体的には、２〜７℃に設定され冷却される。この野菜室１５は野菜等の収納食品から発せられる水分により高湿度となるため、局所的に冷えすぎると結露することがある。そのため、比較的高い温度に設定することで冷却量を少なくし、局所的な冷えすぎによる結露発生を抑制している。
【００２０】
冷凍室１６は、冷凍温度帯に設定される貯蔵室で、具体的には、通常−２２〜−１８℃に設定され冷却されるが、冷凍保存状態向上のため、例えば−３０℃や−２５℃などの低温に設定され冷却されることもある。
【００２１】
切替室１３は、庫内の温度が変更可能な貯蔵室であり、用途に応じて冷蔵温度帯から冷凍温度帯まで切り換えることができるようになっている。
【００２２】
一方、前記冷凍室１６の背面には冷却室２０が設けてあり、この冷却室２０には冷気を生成する冷却器２１と、冷気を前記各室に供給する冷却ファン２２とが設置してある。そして更に冷却器２１の下方にはガラス管ヒータ２３等で構成した除霜手段が設けてある。
【００２３】
冷却器２１は、圧縮機２４と、コンデンサ（図示せず）と、放熱用の放熱パイプ（図示せず）と、キャピラリーチューブ（図示せず）とを環状に接続して冷凍サイクルを構成しており、圧縮機２４によって圧縮された冷媒の循環によって冷却を行う。
【００２４】
また、冷却ファン２２は冷却器２１の上方に設けてあり、その下流側に連なる冷蔵室ダクト２５、冷凍室ダクト２６、野菜室ダクト２７を介して冷蔵室１２、冷凍室１６、野菜室１５等に冷気を供給し、これら各室を冷却するようになっている。
【００２５】
次に、上記冷却室２０の室内の構成及びガラス管ヒータ２３周辺の構成について図３と図５を用いて説明する。
【００２６】
冷却室２０は冷凍室１６の背面にあって図５に示すよう冷却室形成板２８と内箱３とによって形成してあり、冷却室形成板２８の上部に冷却ファン２２を装着することにより冷却器２１上方に冷却ファン２２を位置させてある。また、冷却室形成板２８の前面側には冷凍室背面板２９を装着して冷却ファン２２の下流側を覆い冷却室２０との間に冷却ファン下流側と連通する冷凍室ダクト２６を形成している。
【００２７】
また、上記冷却器２１の下方には図５に示すようガラス管ヒータ２３を覆う傘状断面のヒータカバー３０が設置してあり、冷却室２０の底面には除霜水を外部に排出する排水口３１が設けてある。また、ヒータカバー３０には、ガラス管ヒータ２３と冷凍室背面板２９の間に延出する遮蔽部材３２を設けている。また、遮蔽部材３２には複数のスリット孔部を形成している。また、遮蔽部材３２の先端部３３はガラス管ヒータ２３下端よりも上方で、ガラス管ヒータ２３上端よりも下方に位置している。
【００２８】
さらに、ガラス管ヒータ２３下端と遮蔽部材３２の先端部３３とを結ぶ仮想延長線より上方に冷凍室背面板２９の下端は位置している。
【００２９】
また、ヒータカバー３０の上面は、遮蔽部材３２が延出する前方（冷凍室側）から後方（背面側）に向かって下方に傾斜させている。
【００３０】
以上のように構成された冷蔵庫について、以下その動作、作用を説明する。
【００３１】
冷蔵庫は、冷蔵室１２の温度が設定温度より高くなると、圧縮機２４と冷却ファン２２を駆動し、冷却器２１で生成された冷気を、冷却ファン２２の下流側に供給する。
【００３２】
冷却ファン２２の下流側に供給された冷気は、冷却ファン下流側の上部上面に開口する第１冷気供給口より冷蔵室ダンパを介して冷蔵室ダクトに供給され、冷蔵室ダクトの左右両側面部に開口させた冷気吹出し口（図示せず）から冷蔵室１２に吹き出し冷蔵室１２内を冷却する。
【００３３】
また、上記冷却ファン２２の下流側に供給された冷気は、冷却ファン下流側の上部側面に開口する第２冷気供給口より野菜室ダンパを介して野菜室ダクトにも供給され、野菜室
ダクトの下端開口から野菜室１５に供給され野菜室１５内を冷却する。
【００３４】
そして、冷蔵室より冷却温度が高く設定されている野菜室１５の温度が設定温度になると野菜室ダンパが閉じ、野菜室１５への冷気供給を停止し野菜室を設定温度に保つ。
【００３５】
また、冷却室２０からの冷気は、冷凍室ダクト２６を通り冷凍室１６に供給され、冷却室２０の前方下部の戻り口から冷却器２１に戻る。
【００３６】
そして、所定時間冷却毎に冷却器２１に付着した霜を取り除くために、ガラス管ヒータ２３に通電され、排水口３１から庫外に排出される。
【００３７】
この時、ガラス管ヒータ２３と冷却器２１との間で冷却器２１の下方に冷却器２１から落下する除霜水がガラス管ヒータ２３に直接滴下するのを防止するヒータカバー３０を備えているので、除霜水がガラス管ヒータ２３に直接滴下する際の蒸発音の抑制や、ガラス管ヒータ２３表面の温度低下を抑制することができる。
【００３８】
また、上記の定期的な除霜時には、ガラス管ヒータ２３からの輻射熱と対流により冷却器２１の霜が取り除かれるが、同時に冷却器２１以外の周辺にも輻射熱が届く。特に樹脂成形された冷却室形成板２８は樹脂部品の耐熱温度を超えると変形等の不具合が生じるが、本実施の形態では、ヒータカバー３０には、ガラス管ヒータ２３と冷凍室背面板２９の間に延出する遮蔽部材３２を設けているので、除霜時に冷凍室背面板２９の温度上昇を抑制することができ、冷凍室背面板２９の変形を抑制することができる。
【００３９】
また、遮蔽部材３２には複数のスリット孔部を形成しているので、ガラス管ヒータ２３とヒータカバー３０との間の空間に熱気が淀むのを防ぐことができ、ガラス管ヒータ２３表面の過度な温度上昇を抑制できる。
【００４０】
また、遮蔽部材３２の先端部３３はガラス管ヒータ２３下端よりも上方で、ガラス管ヒータ２３上端よりも下方に位置しているので、ガラス管ヒータ２３からの輻射熱が冷凍室背面板２９に直接当たるのを確実に防止することができる。
【産業上の利用可能性】
【００４１】
以上のように、本発明にかかる冷蔵庫は、ガラス管ヒータの輻射熱が冷凍室背面板に直接あたり、冷凍室背面板の温度上昇を抑制することができるので、ガラス管ヒータを備えた除霜機能を有する業務用冷蔵庫等の用途にも適用できる。
【符号の説明】
【００４２】
１  冷蔵庫本体
２  外箱
３  内箱
４  発泡断熱材
５  仕切板
７、８  扉
１２  冷蔵室
１３  切替室
１４  製氷室
１５  野菜室
１６  冷凍室
１７  棚板
１８  パーシャル室（低温室）  １９  チルド室（低温室）
２０  冷却室
２１  冷却器
２２  冷却ファン
２３  ガラス管ヒータ
２４  圧縮機
２５  冷蔵室ダクト
２６  冷凍室ダクト
２７  野菜室ダクト
２８  冷却室形成板
２９  冷凍室背面板
３０  ヒータカバー
３１  排水口
３２  遮蔽部材
３３  先端部
【図１】
2018071959.tif 000003
【図２】
2018071959.tif 000004
【図３】
2018071959.tif 000005
【図４】
2018071959.tif 000006
【図５】
2018071959.tif 000007